【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスを使用して、制御情報を第1の無線アクセス技術(RAT)を介して第2のワイヤレス通信デバイスに送信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスを使用して、前記第1のRATの第1の送信時間間隔(TTI)中に第1のデータを前記第1のRATを介して前記第2のワイヤレス通信デバイスに送信するステップと、
前記第1のワイヤレス通信デバイスを使用して、前記第1のTTI中に第2のデータを前記第2のRATを介して前記第2のワイヤレス通信デバイスに送信するステップと、
前記第1のワイヤレス通信デバイスにおいて、前記第1のRATの第2のTTI中に前記第1のRATを介して前記第2のワイヤレス通信デバイスから第1の肯定応答(ACK)または否定応答(NACK)を受信するステップであって、前記第1のACKまたはNACKは、前記第1のTTI中に前記第1のRATを介して送信された前記第1のデータに関連する、ステップと、
前記第1のワイヤレス通信デバイスにおいて、前記第1のRATの前記第2のTTI中に前記第1のRATを介して前記第2のワイヤレス通信デバイスから第2の肯定応答(ACK)または否定応答(NACK)を受信するステップであって、前記第2のACKまたはNACKは、前記第1のTTI中に前記第2のRATを介して送信された前記第2のデータに関連する、ステップと
を備える方法。
【請求項２】
前記第1のRATを介して前記第2のワイヤレス通信デバイスから前記第2のNACKが受信される場合、前記第1のワイヤレス通信デバイスを使用して、前記第2のデータを前記第2のRATを介して前記第2のワイヤレス通信デバイスに再送信するステップをさらに備える、請求項1に記載の方法。
【請求項３】
前記第1のRATは、ロングタームエボリューション(LTE) RATを含む、請求項1に記載の方法。
【請求項４】
前記制御情報は、前記第1のTTI中に前記LTE RATを介して前記第2のワイヤレス通信デバイスに送信され、
前記第2のACKまたはNACKは、前記第1のRATのタイミング構造に従って前記第2のTTI中に前記第2のワイヤレス通信デバイスから受信される、請求項3に記載の方法。
【請求項５】
前記第1のワイヤレス通信デバイスは基地局であり、前記第2のワイヤレス通信デバイスはユーザ機器であり、前記第2のRATを介して実施される前記ユーザ機器の通信は、前記基地局からダウンリンクデータを受信するステップを含む、請求項1に記載の方法。
【請求項６】
前記第1のワイヤレス通信デバイスは、前記第2のRATに関連付けられているアンテナを含む、請求項1に記載の方法。
【請求項７】
前記第1のワイヤレス通信デバイスは、前記第1のワイヤレス通信デバイスからリモートに位置する前記第2のRATに関連付けられているアンテナと通信している、請求項1に記載の方法。
【請求項８】
ワイヤレス通信の方法であって、
第1のワイヤレス通信デバイスにおいて、制御情報を第1の無線アクセス技術(RAT)を介して第2のワイヤレス通信デバイスから受信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスを使用して、前記第1のRATの第1の送信時間間隔(TTI)中に第1のデータを前記第1のRATを介して前記第2のワイヤレス通信デバイスに送信するステップと、
前記第1のワイヤレス通信デバイスを使用して、前記第1のTTI中に第2のデータを前記第2のRATを介して前記第2のワイヤレス通信デバイスに送信するステップと、
前記第1のワイヤレス通信デバイスにおいて、前記第1のRATの第2のTTI中に前記第1のRATを介して前記第2のワイヤレス通信デバイスから第1の肯定応答(ACK)または否定応答(NACK)を受信するステップであって、前記第1のACKまたはNACKは、前記第1のTTI中に前記第1のデータが前記第1のRATを介して前記第2のワイヤレス通信デバイスによって受信されたかどうかを示す、ステップと、
前記第1のワイヤレス通信デバイスにおいて、前記第1のRATの第2のTTI中に前記第1のRATを介して前記第2のワイヤレス通信デバイスから第2の肯定応答(ACK)または否定応答(NACK)を受信するステップであって、前記第2のACKまたはNACKは、前記第1のTTI中に前記第2のデータが前記第2のRATを介して前記第2のワイヤレス通信デバイスによって受信されたかどうかを示す、ステップと
を備える方法。
【請求項９】
前記第1のRATを介して前記第2のワイヤレス通信デバイスから前記第2のNACKが受信される場合、前記第1のワイヤレス通信デバイスを使用して、前記第2のデータを前記第2のRATを介して前記第2のワイヤレス通信デバイスに再送信するステップをさらに備える、請求項8に記載の方法。
【請求項１０】
前記第1のRATはロングタームエボリューション(LTE) RATを含み、
前記制御情報は、前記第1のTTI中に前記LTE RATを介して前記第1のワイヤレス通信デバイスにおいて受信され、
前記第2のデータは、前記第1のRATのタイミング構造に従って前記第1のTTI中に前記第2のRATを介して前記第2のワイヤレス通信デバイスに送信される、請求項8に記載の方法。
【請求項１１】
前記第1のワイヤレス通信デバイスはユーザ機器であり、前記第2のワイヤレス通信デバイスは基地局であり、前記第2のデータを前記第2のRATを介して送信する前記ステップは、アップリンクデータを前記基地局に送信するステップを含む、請求項8に記載の方法。
【請求項１２】
前記第2のRATを介して前記第2のワイヤレス通信デバイスに前記第2のデータを送信する前記ステップは、前記第2のデータを前記第2のRATに関連付けられている前記第2のワイヤレス通信デバイスのアンテナに送信するステップを含む、請求項8に記載の方法。
【請求項１３】
前記第2のRATを介して前記第2のワイヤレス通信デバイスに前記第2のデータを送信する前記ステップは、前記第2のデータを前記第2のワイヤレス通信デバイスからリモートに位置する前記第2のRATに関連付けられているアンテナに送信するステップを含む、請求項8に記載の方法。
【請求項１４】
制御情報を生成するように構成されたマルチ無線アクセス技術(マルチRAT)モジュールと、
前記マルチRATモジュールと通信する第1の送信機であって、
前記生成された制御情報を第1の無線アクセス技術(RAT)を介して第2のワイヤレス通信デバイスに送信することであって、前記送信される制御情報は前記第1のRATおよび第2のRATの制御情報を含み、前記第2のRATのタイミング構造は前記第1のRATのタイミング構造とそろえられる、送信すること、および
前記第1のRATの第1の送信時間間隔(TTI)中に第1のデータを前記第1のRATを介して前記第2のワイヤレス通信デバイスに送信することを行うように構成された第1の送信機と、
前記マルチRATモジュールと通信し、前記第1のTTI中に第2のデータを前記第2のRATを介して前記第2のワイヤレス通信デバイスに送信するように構成された第2の送信機と、
前記マルチRATモジュールと通信する受信機であって、
前記第1のRATの第2のTTI中に前記第2のワイヤレス通信デバイスから前記第1のRATを介して第1の肯定応答(ACK)または否定応答(NACK)を受信することであって、前記第1のACKまたはNACKは、前記第1のTTI中に前記第1のRATを介して送信された前記第1のデータに関連する、受信すること、および
前記第1のRATの前記第2のTTI中に前記第2のワイヤレス通信デバイスから前記第1のRATを介して第2の肯定応答(ACK)または否定応答(NACK)を受信することであって、前記第2のACKまたはNACKは、前記第1のTTI中に前記第2のRATを介して送信された前記第2のデータに関連する、受信することを行うように構成された受信機と
を備えるワイヤレス通信デバイス。
【請求項１５】
前記第2の送信機は、前記受信機が前記第1のRATを介して前記第2のワイヤレス通信デバイスから前記第2のNACKを受信する場合、前記第2のデータを前記第2のRATを介して前記第2のワイヤレス通信デバイスに再送信するようにさらに構成される、請求項14に記載のデバイス。
【請求項１６】
前記第1のRATはロングタームエボリューション(LTE) RATを含み、
前記第1の送信機は、前記制御情報を前記第1のTTI中に前記LTE RATを介して前記第2のワイヤレス通信デバイスに送信するように構成され、
前記受信機は、前記第1のRATのタイミング構造に従って前記第2のTTI中に前記第2のACKまたは前記NACKを前記第2のワイヤレス通信デバイスから受信するように構成される、請求項14に記載のデバイス。
【請求項１７】
前記ワイヤレス通信デバイスは基地局であり、前記第2のワイヤレス通信デバイスはユーザ機器である、請求項14に記載のデバイス。
【請求項１８】
前記第2のRATに関連付けられているアンテナをさらに備える、請求項14に記載のデバイス。
【請求項１９】
前記マルチRATモジュールは、前記ワイヤレス通信デバイスからリモートに位置する前記第2のRATに関連付けられているアンテナと通信している、請求項14に記載のデバイス。
【請求項２０】
制御情報を第1の無線アクセス技術(RAT)を介して第2のワイヤレス通信デバイスから受信するように構成された受信機であって、前記制御情報は前記第1のRATおよび第2のRATの制御情報を含み、前記第2のRATのタイミング構造は前記第1のRATのタイミング構造とそろえられる、受信機と、
前記第1のRATの第1の送信時間間隔(TTI)中に第1のデータを前記第1のRATを介して前記第2のワイヤレス通信デバイスに送信するように構成された第1の送信機と、
第1のTTI中に第2のデータを前記第2のRATを介して第2のワイヤレス通信デバイスに送信するように構成された第2の送信機と
を備え、
前記受信機は、
前記第1のRATの第2のTTI中に前記第1のRATを介して前記第2のワイヤレス通信デバイスから第1の肯定応答(ACK)または否定応答(NACK)を受信することであって、前記第1のACKまたはNACKは、前記第1のTTI中に前記第1のデータが前記第1のRATを介して前記第2のワイヤレス通信デバイスによって受信されたかどうかを示す、受信すること、および
前記第1のRATの第2のTTI中に前記第1のRATを介して前記第2のワイヤレス通信デバイスから第2の肯定応答(ACK)または否定応答(NACK)を受信することあって、前記第2のACKまたはNACKは、前記第1のTTI中に前記第2のデータが前記第2のRATを介して前記第2のワイヤレス通信デバイスによって受信されたかどうかを示す、受信することを行うようにさらに構成される、ワイヤレス通信デバイス。
【請求項２１】
前記第2の送信機は、前記第1のRATを介して前記第2のワイヤレス通信デバイスから前記第2のNACKが受信される場合、前記第2のデータを前記第2のRATを介して前記第2のワイヤレス通信デバイスに再送信するようにさらに構成される、請求項20に記載のデバイス。
【請求項２２】
前記ワイヤレス通信デバイスはユーザ機器であり、前記第2のワイヤレス通信デバイスは基地局である、請求項20に記載のデバイス。
【請求項２３】
前記第1のRATはロングタームエボリューション(LTE) RATを含み、
前記受信機は、前記第1のTTI中に前記LTE RATを介して前記制御情報を受信するように構成され、
前記第2の送信機は、前記第1のRATのタイミング構造に従って前記第1のTTI中に前記第2のRATを介して前記第2のデータを前記第2のワイヤレス通信デバイスに送信するように構成される、請求項20に記載のデバイス。
【請求項２４】
前記第2の送信機は、前記第2のデータを前記第2のRATに関連付けられている前記第2のワイヤレス通信デバイスのアンテナに送信するように構成される、請求項20に記載のデバイス。
【請求項２５】
前記第2の送信機は、前記第2のデータを前記第2のワイヤレス通信デバイスからリモートに位置する前記第2のRATに関連付けられているアンテナに送信するように構成される、請求項20に記載のデバイス。